(57)【要約】【課題】  取付部材に対して棚受部材が傾くことなく上下摺動できるようにした棚受装置を提供すること。【解決手段】  壁面に直接乃至間接的に取り付けるための取付部材と、棚板を載置するための棚受部材とから成り、取付部材と棚受部材を高さ調節ネジによって上下スライドできる状態で一体化する棚受装置であって、棚受部材或いは取付部材のどちらか一方に前下がり防止用のガイド片を長手方向全長に亘って形成し、取付部材或いは棚受部材のどちらか一方に前記ガイド片が嵌合するガイド溝を長手方向全長に亘って形成したことを特徴とする。【選択図】        図１
2005342465.tif 000002
【特許請求の範囲】
【請求項１】
壁面に直接乃至間接的に取り付けるための取付部材と、棚板を載置するための棚受部材とから成り、取付部材と棚受部材を高さ調節ネジによって上下スライドできる状態で一体化する棚受装置であって、棚受部材或いは取付部材のどちらか一方に前下がり防止用のガイド片を長手方向全長に亘って形成し、取付部材或いは棚受部材のどちらか一方に前記ガイド片が嵌合するガイド溝を長手方向全長に亘って形成したことを特徴とする棚受装置。
【請求項２】
請求項１記載の棚受装置において、棚板の厚みが決まっている場合に、棚受部材の一部が係合するリブを取付部材に形成したことを特徴とする請求項１記載の棚受装置。
【請求項３】
請求項１記載の棚受装置において、取付部材と棚受部材を一体化する高さ調節ネジを下から螺合させるようにしたことを特徴とする請求項１記載の棚受装置。
【請求項４】
壁面に直接乃至間接的に取り付けるための取付部材と、棚板を載置するための棚受部材とから成り、取付部材と棚受部材を高さ調節ネジによって上下スライドできる状態で一体化する棚受装置において、棚受部材の水平片を予め水平線に対して０．５°から２°上方に傾斜させてあることを特徴とする棚受装置。
【請求項５】
請求項４記載の棚受装置において、取付部材と棚受部材を一体化する高さ調節ネジを下から螺合させるようにしたことを特徴とする請求項４記載の棚受装置。
【発明の詳細な説明】
【技術分野】
【０００１】  本発明は、壁面に直接乃至間接的に取り付け、棚受部材を棚板の厚みに応じて上下調節できるようにして使用する棚受装置に関するものである。
【背景技術】
【０００２】  従来から壁面或いはボードに直接乃至壁面に敷設されたレールに取り付けて使用し、棚受部材を棚板の厚みに応じて上下調節できるようにした棚受装置は図５に示されるように公知である【０００３】  この従来公知の棚受装置は、取付部材ｘの垂直片に形成された長孔ｘ−１に挿通される高さ調節ネジたる締付ネジｚによって取付部材ｘと棚受部材ｙを一体化するようにしたもので、長孔ｘ−１の間隔だけ取付部材ｘの縁取り片ｘ−２と棚受部材ｙの水平片ｙ−１との間隔を変え、棚受部材を棚板の厚みに応じて上下調節できるようにしたものであった。
【発明の開示】
【発明が解決しようとする課題】
【０００４】  従来のこの種の棚受装置にあっては、壁面或いはボードに直接乃至壁面に敷設されたレールに装着される取付部材と棚板を受ける棚受部材とは、取付部材に対して棚受部材を棚板の厚みに応じて高さ調節ネジによって上下調節できるようにする必要上から別体のものでなければならなかったため、可動部分にはかならず遊び部分を設ける必要があるなどの要因によって若干のがたつきがあり、このがたつきによって棚板上に物品を載せたときに荷重によって棚受部材が前下がりとなったり、取付部材と棚受部材との連結部分が高さ調節ネジの螺合部分の一点だけであるので、棚受部材に大きな荷重がかかると、この螺合部分を支点として時計方向に回転しようとする力が働き、ひどい場合は大きく傾斜してしまうという問題点があった。【０００５】  本発明は、上記従来技術の問題点を解決するために、取付部材に対して棚受部材が傾くことなく上下摺動できるようにした棚受装置を提供することを目的とするものである。
【課題を解決するための手段】
【０００６】  本発明に係る棚受装置の請求項１の発明は、壁面に直接乃至間接的に取り付けるための取付部材と、棚板を載置するための棚受部材とから成り、取付部材と棚受部材を高さ調節ネジによって上下スライドできる状態で一体化する棚受装置であって、棚受部材或いは取付部材のどちらか一方に前下がり防止用のガイド片を長手方向全長に亘って形成し、取付部材或いは棚受部材のどちらか一方に前記ガイド片が嵌合するガイド溝を長手方向全長に亘って形成したことを特徴とし、請求項２の発明は、請求項１記載の棚受装置において、棚板の厚みが決まっている場合に、棚受部材の一部が係合するリブを取付部材に形成したことを特徴とし、請求項３の発明は、壁面に直接乃至間接的に取り付けるための取付部材と、棚板を載置するための棚受部材とから成り、取付部材と棚受部材を高さ調節ネジによって上下スライドできる状態で一体化する棚受装置において、棚受部材の水平片を予め水平線に対して０．５°から２°上方に傾斜させてあることを特徴とするものである。
【発明の作用】
【０００７】  請求項１の発明では、壁面に直接乃至間接的に取り付けるための取付部材と、棚板を載置するための棚受部材とから成り、取付部材と棚受部材を高さ調節ネジによって上下スライドできる状態で一体化する棚受装置であって、棚受部材或いは取付部材のどちらか一方に前下がり防止用のガイド片を長手方向全長に亘って形成し、取付部材或いは棚受部材のどちらか一方に前記ガイド片が嵌合するガイド溝を長手方向全長に亘って形成してあるので、ガイド片がガイド溝に案内されて棚受部材の前下がりが防止される。
【０００８】  請求項２の発明では、請求項１記載の棚受装置において、棚板の厚みが決まっている場合に、棚受部材の一部が係合するリブを取付部材に形成してあるので、取付部材のリブに棚受部材の一部が当接して棚受部材の前下がりが防止される。
【０００９】  請求項３の発明では、請求項１記載の棚受装置において、取付部材と棚受部材を一体化する高さ調節ネジを下から螺合させるようにしてあるので、棚受装置を取付基材に取り付けた後からでも棚板の厚みに応じて高さ調節が可能で、便利である。
【００１０】  請求項４の発明では、壁面に直接乃至間接的に取り付けるための取付部材と、棚板を載置するための棚受部材とから成り、取付部材と棚受部材を高さ調節ネジによって上下スライドできる状態で一体化する棚受装置において、棚受部材の水平片を予め水平線に対して０．５°から２°上方に傾斜させてあるので、可動部分の遊び等によるがたつきがあって棚受部材の前下がりが生じてもこの上方に傾斜させてある角度によって水平状態に修正される。
【００１１】  請求項５の発明では、請求項４の発明において、取付部材と棚受部材を一体化する高さ調節ネジを下から螺合させるようにしてあるので、棚受装置を取付基材に取り付けた後からでも棚板の厚みに応じて高さ調節が可能で、便利である。
【発明を実施するための最良の形態】
【００１２】  本発明装置の実施の形態を実施例について具体的に説明する。
【実施例１】
【００１３】  図１は、壁面乃至ボードへ直接取り付けるタイプの本発明装置の側面透視図、図２は、ボードに同装置を取り付けた状態で、棚板を装着した状態の縦断側面図、図３は、ボード表面に取り付けられたレールに取り付けるタイプの本発明装置の棚板を装着した状態の縦断側面図、図４は、壁面乃至ボードに嵌め込まれたレールに取り付けるタイプの本発明装置の棚板を装着した状態の縦断側面図である。【００１４】  図１、２において、１は、壁やボード等の取付基材Ｗに取り付けるための取付部材２と、棚板Ｔを載置するための棚受部材３とから成り、取付部材２と棚受部材３を高さ調節ネジ４によって上下スライドできる状態で一体化するようにしてある棚受装置であって、取付部材２の取付基材Ｗに面接する垂直片２−１には棚受部材３の水平片３−１と平行な縁取り片２−２を形成して水平片３−１と縁取り片２−２との間で棚板Ｔの端部を挟着固定するように構成されている。【００１５】  取付部材２の垂直片２−１の取付基材Ｗに面接する面には取付基材Ｗに食い込ませるための複数の突条２−２ａが長手方向全長に亘って形成されており、取付部材２をアンカーネジａで取付基材Ｗに取り付けたときに、アンカーネジａに集中して掛かる荷重は取付基材Ｗと複数の突条２−１ａとの噛み合い部分に分散され、アンカーネジａに掛かる荷重が軽減され、棚板Ｔに大重量の物品が載せられても上下方向のズレが生じることがなく、安定した取付状態が保持されるようにしてある。【００１６】  棚受部材３の水平片３−１下面には取付部材２にある固定部たるリブ付きの垂直の折曲片２−３に当接する前下がり防止用のガイド片３−２を長手方向全長に亘って形成しており、棚受部材３の補強片３−３と該ガイド片３−２との間に形成される溝３−４に折曲片２−３が嵌合された状態となっており、この溝３−４は請求項１のガイド溝に対応する。【００１７】  更に、棚受部３の水平片３−１は各部材の遊び部分等による多少のがたつきがあって棚受部材の前下がりが生じても水平状態が保持され、前下がりが生じなくても見かけ上の水平状態が保持されるように水平線Ｌに対してα具体的には０．５°から２°上方に傾斜させてある。【００１８】  取付部材２と棚受部材３を高さ調節ネジ４によって上下スライドできる状態で一体化するための構成として、取付部材２の垂直片２−１の下端に水平の折曲片２−４を形成してこの折曲片２−４の少なくとも左右両端及び中央の三箇所に高さ調節ネジ４が螺合する螺子孔２−４ａを形成し、棚受部材３の覆片３−５と一体の端部が取付基材Ｗ表面に当接する水平部３−５ａの前記折曲片２−４の螺子孔２−４ａに対応する箇所に高さ調節ネジ４が挿通される丸孔３−５ｂが形成されている。【００１９】  次に、本発明装置の具体的用法を説明する。【００２０】  先ず、取付部材２と棚受部材３を高さ調節ネジ４によって上下スライドできる状態で一体化した棚受装置１を取付基材Ｗの所定箇所にアンカーネジａで取り付けるのであるが、図１のように取付部２の垂直片２−１の背面に取付基材Ｗに食い込ませるための複数の突条２−１ａを長手方向全長に亘って形成しておけば、取付部２をアンカーネジａで取付基材Ｗに取り付けたときに、アンカーネジ��に集中して掛かる荷重は取付基材Ｗと複数の突条２−１ａとの噛み合い部分に分散され、アンカーネジａに掛かる荷重が軽減され、棚板に大重量の物品が載せられても上下方向のズレが生じることがなく、安定した取付状態が保持されるものである。【００２１】  棚受装置１の取付基材Ｗへの取り付けの終了後、棚受部材３の水平片３−１と取付部２の縁取り片２−２との間に棚板Ｔを水平方向から差し入れ、丸孔３−３ａに挿通させた高さ調節ネジ４を折曲片２−３の螺子孔２−３ａに螺合させてドライバーで螺回することによって棚受部材３を押し上げてやれば、棚板Ｔは縁取り片２−２と水平片３−１との間で挟着されることになり、更に、棚受部材３を強力に押し上げてやれば、棚板Ｔは縁取り片２−２と水平片３−１との間で棚板Ｔが強力に圧縮保持され、抜け止めがなされる。【００２２】  上記手順により棚板Ｔの装着が完了したときには、棚受部材３のガイド片３−２が常時取付部材２の折曲片２−３に当接し、折曲片２−３がガイド溝３−４に嵌合しているので、この当接部分が高さ調節ネジ４の螺合部分を支点とする回転を止め、棚板Ｔに重い物を載置しても棚受部材３が前下がりの状態にならない。
【実施例２】
【００２３】  また、図３の実施例は同じく請求項１に対応するもので、取付基材Ｗの表面に取り付けられたレールＲの溝に取付部材２の上端に形成された舌片２−ａを差し入れて使用する棚受装置の場合であって、この場合、一対のガイド片３−２、３−２を平行して設け、そのガイド片間をガイド溝３−４としたもので、その作用、効果は図２の実施例の場合と同じである。
【実施例３】
【００２４】  更に、図４の実施例は請求項２に対応するもので、取付基材Ｗに埋め込まれたレールＲの溝に取付部材２の上端に形成された舌片２−ａを差し入れて使用する棚受装置の場合であって、一対のガイド片３−２、３−２を平行して設け、そのガイド片間をガイド溝３−４とした構成は図３の場合と同じであるが、この場合棚受部材３の端部３−ａが下から係合するリブ２−ｂを取付部材２の垂直片２−１に形成してあるもので、このリブ２−ｂが図３の場合よりも棚受部材３の回転止め効果を高め、略完全に棚受部材３の前下がりが防止されるもので、棚板Ｔがガラス板のように予め厚さが決まっているような場合にはきわめて有効である。【００２５】  尚、本実施例では、ガイド片は棚受部材側に設けてあるが、取付部材側に設けてもよく、棚受部材の前下がり効果があるものであれば、これら実施例に限るものではないことは勿論である。【００２６】  また、本実施例では、取付部材と棚受部材を一体化する高さ調節ネジを下から螺合させるようにしてあるが、図５に示される従来公知の側面側から螺合させるようにしたものであっても上下調節が可能であれば、これら実施例に限るものではないことは勿論である。
【発明の効果】
【００２７】  以上述べた如く、請求項１の発明では、壁面に直接乃至間接的に取り付けるための取付部材と、棚板を載置するための棚受部材とから成り、取付部と棚受部を高さ調節ネジによって上下スライドできる状態で一体化する棚受装置であって、棚受部材或いは取付部材のどちらか一方に前下がり防止用のガイド片を長手方向全長に亘って形成し、取付部材或いは棚受部材のどちらか一方に前記ガイド片が嵌合するガイド溝を長手方向全長に亘って形成してあるので、ガイド片がガイド溝に案内されて棚受部材の回転が阻止され、前下がりが防止されるもので、棚板の厚さに応じて間隔を調節できる棚受装置として安全で且つ体裁の良い棚受装置を提供することができるものである。
【００２８】  請求項２の発明では、請求項１記載の棚受装置において、棚板の厚みが決まっている場合に、棚受部材の一部が係合するリブを取付部材に形成してあるので、取付部材のリブに棚受部材の一部が当接して更に棚受部材の回転阻止効果が高められ、完全な前下がり防止効果が期待できるものである。
【００２９】  請求項３の発明では、請求項１記載の棚受装置において、取付部材と棚受部材を一体化する高さ調節ネジを下から螺合させるようにしてあるので、棚受装置を取付基材に取り付けた後からでも棚板の厚みに応じて高さ調節が可能で、便利である。
【００３０】  請求項４の発明では、壁面に直接乃至間接的に取り付けるための取付部材と、棚板を載置するための棚受部材とから成り、取付部材と棚受部材を高さ調節ネジによって上下スライドできる状態で一体化する棚受装置において、棚受部材の水平片を予め水平線に対して０．５°から２°上方に傾斜させてあるので、可動部分の遊び等によるがたつきによって棚受部材の多少の前下がりが生じても棚受部材のこの上方に傾斜させてある角度によって水平状態に修正される。
【００３１】  請求項５の発明では、請求項４記載の棚受装置において、取付部材と棚受部材を一体化する高さ調節ネジを下から螺合させるようにしてあるので、棚受装置を取付基材に取り付けた後からでも棚板の厚みに応じて高さ調節が可能で、便利である。
【図面の簡単な説明】
【００３２】
【図１】  壁面乃至ボードへ直接取り付けるタイプの本発明装置の側面透視図である。
【図２】  ボードに同装置を取り付けた状態で、棚板を装着した状態の縦断側面図である。
【図３】  ボード表面に取り付けられたレールに取り付けるタイプの本発明装置の棚板を装着した状態の縦断側面図である。
【図４】  壁面乃至ボードに嵌め込まれたレールに取り付けるタイプの本発明装置の棚板を装着した状態の縦断側面図である。
【図５】  従来公知の棚受装置の縦断側面図である。
【符号の説明】
１          棚受装置
２          取付部材
３          棚受部材
４          高さ調節ネジ
【図１】
2005342465.tif 000003
【図２】
2005342465.tif 000004
【図３】
2005342465.tif 000005
【図４】
2005342465.tif 000006
【図５】
2005342465.tif 000007